(57)【要約】【課題】接着シートを保持面の所定位置に繰り出すことができるシート貼付装置および貼付方法を提供すること。【解決手段】シート貼付装置１０は、接着シートＡＳを繰り出す繰出手段２０と、接着シートＡＳに気体を吹き付ける気体吹付手段３０と、繰出手段２０で繰り出された接着シートＡＳにおける被保持面ＡＳ１側から当該接着シートＡＳを保持する保持面４３を有し、当該接着シートＡＳを被着体ＷＫに押圧して貼付する貼付手段４０とを備え、気体吹付手段３０は、繰り出された接着シートＡＳにおける被保持面ＡＳ１側に、当該接着シートＡＳの繰出方向に沿う気体ＧＳ１を吹き付ける第１吹付手段３１を備えている。【選択図】図１
2016050034.tif 000002
【特許請求の範囲】
【請求項１】
接着シートを繰り出す繰出手段と、
前記接着シートに気体を吹き付ける気体吹付手段と、
前記繰出手段で繰り出された接着シートにおける被保持面側から当該接着シートを保持する保持面を有し、当該接着シートを被着体に押圧して貼付する貼付手段とを備え、
前記気体吹付手段は、繰り出された接着シートにおける前記被保持面側に、当該接着シートの繰出方向に沿う気体を吹き付ける第１吹付手段を備えていることを特徴とするシート貼付装置。
【請求項２】
前記気体吹付手段は、繰り出された接着シートにおける前記被保持面の反対側の接着面側に、当該接着シートの繰出方向に沿う気体を吹き付ける第２吹付手段を備えていることを特徴とする請求項１に記載のシート貼付装置。
【請求項３】
前記第１吹付手段は、前記第２吹付手段が吹き付ける気体の流速よりも早い流速で気体を吹付可能に設けられていることを特徴とする請求項２に記載のシート貼付装置。
【請求項４】
前記保持面は、前記接着シートの繰出方向に向かう溝を有していることを特徴とする請求項１から請求項３のいずれか１項に記載のシート貼付装置。
【請求項５】
接着シートを繰り出す工程と、
繰り出された接着シートにおける被保持面側に、当該接着シートの繰出方向に沿う気体を吹き付ける工程と、
繰り出された接着シートにおける被保持面側から当該接着シートを保持面で保持し、当該接着シートを被着体に押圧して貼付する工程とを備えていることを特徴とするシート貼付方法。
【発明の詳細な説明】
【技術分野】
【０００１】
本発明は、シート貼付装置およびシート貼付方法に関する。
【背景技術】
【０００２】
従来、被着体に接着シートを貼付するシート貼付装置が知られている（例えば、特許文献１参照）。
【先行技術文献】
【特許文献】
【０００３】
【特許文献１】特開２００８−７４４１３号公報
【発明の概要】
【発明が解決しようとする課題】
【０００４】
しかしながら、特許文献１に記載されたような従来のシート貼付装置は、吸着板の吸着面（保持面）にラベル（接着シート）を繰り出す際、当該ラベルが吸着面に押し付けられてしまうため、ラベルと吸着面との摩擦力が大きくなってしまい、ラベルが吸着面の所定位置まで繰り出されないおそれがある。
【０００５】
本発明の目的は、接着シートを保持面の所定位置に繰り出すことができるシート貼付装置および貼付方法を提供することにある。
【課題を解決するための手段】
【０００６】
本発明のシート貼付装置は、接着シートを繰り出す繰出手段と、前記接着シートに気体を吹き付ける気体吹付手段と、前記繰出手段で繰り出された接着シートにおける被保持面側から当該接着シートを保持する保持面を有し、当該接着シートを被着体に押圧して貼付する貼付手段とを備え、前記気体吹付手段は、繰り出された接着シートにおける前記被保持面側に、当該接着シートの繰出方向に沿う気体を吹き付ける第１吹付手段を備えていることを特徴とする。
【０００７】
本発明のシート貼付装置において、前記気体吹付手段は、繰り出された接着シートにおける前記被保持面の反対側の接着面側に、当該接着シートの繰出方向に沿う気体を吹き付ける第２吹付手段を備えていることが好ましい。
本発明のシート貼付装置において、前記第１吹付手段は、前記第２吹付手段が吹き付ける気体の流速よりも早い流速で気体を吹付可能に設けられていることが好ましい。
本発明のシート貼付装置において、前記保持面は、前記接着シートの繰出方向に向かう溝を有していることが好ましい。
【０００８】
本発明のシート貼付方法は、接着シートを繰り出す工程と、繰り出された接着シートにおける保持面側の面に当該接着シートの繰出方向に向かって気体を吹き付ける工程と、前記保持面で前記接着シートを保持し、当該接着シートを被着体に押圧して貼付する工程とを備えていることを特徴とする。
【発明の効果】
【０００９】
本発明によれば、第１吹付手段が接着シートにおける被保持面側に当該接着シートの繰出方向に沿う気体を吹き付けるため、保持面と接着シートとの間に僅かな隙間が形成され、保持面と接着シートとの間の摩擦力が低減した状態で接着シートを繰り出すことができる。このため、保持面に沿って接着シートが繰出方向に滑ることができるので、当該接着シートを保持面の所定位置に繰り出すことができる。
【００１０】
また、第２吹付手段を設ければ、接着シートの接着面側に気体を吹き付けることにより、当該接着シートを保持面側に付勢することができるため、接着シートが垂れ下がったり、落下したりすることを防止することができる。
さらに、第１吹付手段を第２吹付手段が吹き付ける気体の流速よりも早い流速で気体を吹付可能にすれば、保持面と接着シートとの間の圧力が接着シートの接着面側の圧力よりも低くなり、接着シートを保持面側に引き寄せることができるので、当該接着シートが垂れ下がったり、落下したりすることを防止することができる。
また、保持面に溝を設ければ、接着シートに対する保持面の接触面積を減らすことができるので、接着シートを保持面上で滑り易くすることができる。
【図面の簡単な説明】
【００１１】
【図１】本発明の一実施形態に係るシート貼付装置の側面図。
【図２】図１のシート貼付装置の動作説明図。
【発明を実施するための形態】
【００１２】
以下、本発明の一実施形態を図面に基づいて説明する。
なお、以下において、基準となる図を挙げることなく、例えば、上、下、左、右、または、手前、奥といった方向を示した場合は、全て図１を正規の方向（付した番号が適切な向きとなる方向）から観た場合を基準とし、上、下、左、右方向が紙面に平行な方向であり、前が紙面に直交する手前方向、後が紙面に直交する奥側方向とする。
【００１３】
図１において、シート貼付装置１０は、接着シートＡＳを繰り出す繰出手段２０と、接着シートＡＳに気体ＧＳ１、ＧＳ２を吹き付ける気体吹付手段３０と、繰出手段２０で繰り出された接着シートＡＳにおける被保持面ＡＳ１側から当該接着シートＡＳを保持する保持面４３を有し、当該接着シートＡＳを被着体ＷＫに押圧して貼付する貼付手段４０とを備え、被着体ＷＫを搬送する搬送手段５０の上方に配置されている。
【００１４】
繰出手段２０は、帯状の剥離シートＲＬの一方の面に接着シートＡＳが仮着された原反ＲＳを支持する支持ローラ２１と、原反ＲＳを案内する複数のガイドローラ２２と、剥離シートＲＬを折り返して当該剥離シートＲＬから接着シートＡＳを剥離する剥離手段としての剥離板２３と、駆動機器としての回動モータ２４Ａによって駆動される駆動ローラ２４との間に剥離シートＲＬを挟み込むピンチローラ２５と、剥離シートＲＬを回収する回収ローラ２６とを備えている。
【００１５】
気体吹付手段３０は、繰り出された接着シートＡＳにおける被保持面ＡＳ１側に、当該接着シートＡＳの繰出方向に沿う気体ＧＳ１を吹き付ける第１吹付手段３１と、繰り出された接着シートＡＳにおける被保持面ＡＳ１の反対側の接着面ＡＳ２側に、当該接着シートＡＳの繰出方向に沿う気体ＧＳ２を吹き付ける第２吹付手段３２と、第１、第２吹付手段３１、３２に気体ＧＳ１、ＧＳ２を供給する加圧ポンプやタービン等の図示しない気体供給手段とを備えている。なお、本実施形態の場合、第１、第２吹付手段３１、３２は、接着シートＡＳの繰出方向に向かい、当該繰出方向に傾斜した方向に気体ＧＳ１、ＧＳ２を吹き付けるように構成されている。
【００１６】
貼付手段４０は、駆動機器としての直動モータ４１の出力軸４１Ａに支持された保持プレート４２を備えている。保持プレート４２は、減圧ポンプや真空エジェクタ等の図示しない減圧手段によって接着シートＡＳを吸着保持可能な保持面４３と、右下隅部に設けられ、保持面４３から上方に傾斜した案内面４４とを備えている。保持面４３は、接着シートＡＳの繰出方向に向かう複数の溝４３Ａを有している。本実施形態の場合、溝４３Ａは、保持面４３における接着シートＡＳの繰出方向の一端から他端に達する直線状に形成され、一端が案内面４４に開口し、他端が保持プレート４２の左側面４５に開口している。なお、溝４３Ａの一端は、案内面４４のみならず、保持プレート４２の右側面４６に開口していてもよい。
【００１７】
以上のシート貼付装置１０において、被着体ＷＫに接着シートＡＳを貼付する手順について説明する。
先ず、作業者が原反ＲＳを図１に示すようにセットした後、操作パネルやパーソナルコンピュータ等の図示しない入力手段を介して運転開始の信号を入力すると、繰出手段２０が回動モータ２４Ａを駆動し、原反ＲＳを繰り出す。そして、剥離板２３上に位置する接着シートＡＳが所定位置に到達したことを光学センサや撮像手段等の図示しない検知手段が検知すると、繰出手段２０が回動モータ２４Ａの駆動を停止し、シート貼付装置１０がスタンバイ状態となる。
【００１８】
そして、搬送手段５０が被着体ＷＫを保持プレート４２の下方所定位置に搬送して停止させると、貼付手段４０が図示しない減圧手段を駆動するとともに、繰出手段２０および気体吹付手段３０が回動モータ２４Ａおよび図示しない気体供給手段を駆動する。これにより、図２（Ａ）に示すように、剥離シートＲＬから接着シートＡＳを剥離して繰り出しつつ、第１、第２吹付手段３１、３２で接着シートＡＳにおける被保持面ＡＳ１側および接着面ＡＳ２側に気体ＧＳ１、ＧＳ２を吹き付ける。このとき、接着シートＡＳの繰出方向先端部は、第１、第２吹付手段３１、３２から吹き付けられた気体ＧＳ１、ＧＳ２により上方および下方から付勢される。このため、図２（Ａ）中二点鎖線で示すように、当該先端部が上方に捲れ上がることや剥離シートＲＬとともに折り返されてしまうことを防止することができる。
【００１９】
そして、繰り出された接着シートＡＳは、図２（Ｂ）に示すように、保持面４３によって吸引されながら第１吹付手段３１から気体ＧＳ１が吹き付けられるので、保持面４３と接着シートＡＳとの間に僅かな隙間を形成しつつも、保持面４３の吸着力が勝って当該保持面４３に沿って繰り出される。これにより、保持面４３と接着シートＡＳとの間の摩擦力を低減することができる。この際、第１吹付手段３１から吹き付けられた気体ＧＳ１は、溝４３Ａ内にも流れるため、当該気体ＧＳ１を接着シートＡＳの繰出方向に確実に流すことができる。また、溝４３Ａにより、接着シートＡＳに対する保持面４３の接触面積を減らすことができるので、接着シートＡＳを保持面４３上で滑りやすくすることができる。
【００２０】
ここで、第１吹付手段３１が、図２（Ｃ）に示すように、第２吹付手段３２が吹き付ける気体ＧＳ２の流速よりも早い流速で気体ＧＳ１を吹き付けると、ベンチュリ効果により、保持面４３と接着シートＡＳとの間の圧力が接着シートＡＳの下側の圧力よりも低くなる。これにより、接着シートＡＳを保持面４３側に引き寄せ、接着シートＡＳが垂れ下がったり、落下したりすることを防止することができ、当該接着シートＡＳを保持面４３に沿って確実に繰り出すことができる。
なお、案内面４４が設けられていることで、接着シートＡＳの繰出方向先端部が上方に捲れ上がることを防止できる上、第１吹付手段３１が吹き付ける気体ＧＳ１を効率よく接着シートＡＳと保持面４３との間に引き入れることもできる。
【００２１】
そして、接着シートＡＳが保持面４３の所定位置に到達したことを光学センサや撮像手段等の図示しない検知手段が検知すると、繰出手段２０および気体吹付手段３０が回動モータ２４Ａおよび図示しない気体供給手段の駆動を停止する。これにより、保持面４３と接着シートＡＳとの間に隙間が形成されなくなり、接着シートＡＳにおける被保持面ＡＳ１が保持面４３に当接して吸着保持される。次いで、貼付手段４０が直動モータ４１を駆動し、保持プレート４２を図１中実線で示す初期位置から同図中二点鎖線で示す位置に下降させ、接着シートＡＳを被着体ＷＫに押圧して貼付する。次に、貼付手段４０が図示しない減圧手段の駆動を停止した後、直動モータ４１を駆動し、保持プレート４２を初期位置に復帰させる。そして、搬送手段５０が被着体ＷＫを次工程の装置等に搬送し、以降上記同様の動作が繰り返される。
【００２２】
以上のような実施形態によれば、第１吹付手段３１が接着シートＡＳにおける被保持面ＡＳ１側に当該接着シートＡＳの繰出方向に沿う気体ＧＳ１を吹き付けるため、保持面４３と接着シートＡＳとの間に僅かな隙間が形成され、保持面４３と接着シートＡＳとの間の摩擦力が低減した状態で接着シートＡＳを繰り出すことができる。このため、保持面４３に沿って接着シートＡＳが繰出方向に滑ることができるので、当該接着シートＡＳを保持面４３の所定位置に繰り出すことができる。
【００２３】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれる。
【００２４】
例えば、繰出手段２０は、帯状の接着シートＡＳを繰り出してもよく、当該接着シートＡＳを保持面４３で保持する前または保持した後に、切断刃やレーザカッタ等の適宜な切断手段で切断してもよい。
繰出手段２０は、枚葉の原反ＲＳを繰り出してもよく、当該原反ＲＳを接着シートＡＳ側から保持面４３で保持する前または保持した後に、吸着パッドやブレード材等の適宜な剥離手段で接着シートＡＳから剥離シートＲＬを剥離してもよい。
繰出手段２０は、丸棒やローラ等で剥離手段を構成してもよい。
【００２５】
気体吹付手段３０は、前後方向の回転軸を中心に第１、第２吹付手段３１、３２を回転可能に設け、接着シートＡＳに対する気体ＧＳ１、ＧＳ２の吹付角度を変更するようにしてもよい。
第１、第２吹付手段３１、３２は、接着シートＡＳの繰出方向であって、当該接着シートＡＳと平行に気体ＧＳ１、ＧＳ２を吹き付けてもよい。
第１、第２吹付手段３１、３２は、それぞれ複数設けてもよい。
第２吹付手段３２は、なくてもよい。
第１、第２吹付手段３１、３２が吹き付ける気体ＧＳ１、ＧＳ２は、空気、窒素ガスやネオンガス等の単体ガス、混合ガス等であってもよい。
第１、第２吹付手段３１、３２が吹き付ける気体ＧＳ１、ＧＳ２の方向は、接着シートＡＳの繰出方向に傾斜することなく、当該繰出方向であってもよい。
【００２６】
貼付手段４０は、クーロン力によって保持面４３に接着シートＡＳを引き付けて保持するように構成してもよいし、磁力等によって接着シートＡＳを保持する構成としてもよい。
貼付手段４０は、保持面４３からのエア噴き付けにより接着シートＡＳを被着体ＷＫに押圧して貼付する構成を採用してもよい。
溝４３Ａは、例えば、接着シートＡＳの繰出方向に向かう波形であってもよいし、接着シートＡＳの繰出方向に向かって次第に狭幅または拡幅する形状であってもよい。また、溝４３Ａは、１つでもよいし、なくてもよい。
案内面４４は、なくてもよい。
【００２７】
また、本発明における接着シートＡＳおよび被着体ＷＫの材質、種別、形状等は、特に限定されることはない。例えば、接着シートＡＳは、円形、楕円形、三角形や四角形等の多角形、その他の形状であってもよいし、感圧接着性、感熱接着性等の接着形態のものであってもよく、感熱接着性の接着シートＡＳが採用された場合は、当該接着シートを加熱する適宜なコイルヒータやヒートパイプ等の加熱手段を設けるといった適宜な方法で接着されればよい。また、このような接着シートＡＳは、例えば、接着剤層だけの単層のもの、基材シートと接着剤層との間に中間層を有するもの、基材シートの上面にカバー層を有する等３層以上のもの、更には、基材シートを接着剤層から剥離することのできる所謂両面接着シートのようなものであってもよく、両面接着シートは、単層又は複層の中間層を有するものや、中間層のない単層又は複層のものであってよい。また、被着体ＷＫとしては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂板等、任意の形態の部材や物品なども対象とすることができる。なお、接着シートＡＳを機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意の形状の任意のシート、フィルム、テープ等を前述のような任意の被着体ＷＫに貼付することができる。
【００２８】
本発明における手段および工程は、それら手段および工程について説明した動作、機能または工程を果たすことができる限りなんら限定されることはなく、まして、前記実施形態で示した単なる一実施形態の構成物や工程に全く限定されることはない。例えば、繰出手段は、接着シートを繰出可能なものであれば、出願当初の技術常識に照らし合わせ、その技術範囲内のものであればなんら限定されることはない（他の手段および工程についての説明は省略する）。
また、前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
【符号の説明】
【００２９】
１０            シート貼付装置
２０            繰出手段
３０            気体吹付手段
３１            第１吹付手段
３２            第２吹付手段
４０            貼付手段
４３            保持面
４３Ａ          溝
ＡＳ            接着シート
ＡＳ１          被保持面
ＡＳ２          接着面
ＧＳ１、ＧＳ２  気体
【図１】
2016050034.tif 000003
【図２】
2016050034.tif 000004